(57)【要約】【課題】  本発明は、長期間にわたって清掃のしやすさが持続する、１枚の大型のセラミック板からなるペット用床材を提供することを目的とする。【解決手段】  １枚の大型セラミック板からなり、ＪＩＳ Ａ １４１２−２（１９９９）で規定される熱伝導率が０．１Ｗ／（ｍ・ｋ）以上であって、携帯型すべり試験機、ＯＮＯ ＰＰＳＭで測定したＣＳＲ・Ｄ’値が０．３以上である、ペット用床材。【選択図】  なし【特許請求の範囲】
【請求項１】
ＪＩＳ Ａ １４１２−２（１９９９）で規定される熱伝導率が０．５Ｗ／（ｍ・ｋ）以上であって、携帯型すべり試験機、ＯＮＯ ＰＰＳＭで測定したＣＳＲ・Ｄ’値が０．３以上である、１枚の大型セラミック板を含んでなる、ペット用床材。
【請求項２】
前記大型セラミック板は、ＪＩＳ  Ａ  ５２０９（２００８）に規定される吸水率が３％以下である、請求項１記載のペット用床材。
【請求項３】
前記大型セラミック板は、その表面に釉薬層が設けられたものである、請求項１または２記載のペット用床材。
【請求項４】
前記釉薬層はつや消し剤を含む、請求項３記載のペット用床材。
【請求項５】
前記大型セラミック板の厚さは３ｍｍ以上１０ｍｍ以下である、請求項１〜４のいずれか１項に記載のペット用床材。
【請求項６】
前記大型セラミック板の裏面に裏打ち材を設けてなる、請求項１〜５のいずれか１項に記載のペット用床材。
【発明の詳細な説明】
【技術分野】
【０００１】
本発明は、ペット用床材に関する。
【背景技術】
【０００２】
近年のペットブームに伴い、犬や猫などのペットを飼う人が増えている。特に、室内でもペットを飼えるようにさまざまな工夫がなされている。
【０００３】
例えば、特許文献１（特開２００７−１３５４８２号公報）には、室内で飼育するペットが歩行しやすい床が記載されている。具体的には表面に凹凸模様を形成するとともに、硬い塗膜でコーティングして滑りにくくしている。
【０００４】
特許文献２（実登３０９５６５７号公報）には、複数枚の陶磁器質タイルにより構成されたペットを載せる載置面を有するペット用クーラーマットが記載されている。
【０００５】
特許文献３（特開２０１２−２２３１３２号公報）には、多孔質材料を焼成することにより形成されるマット基材と、このマット基材の少なくとも底面部に形成される防水塗膜による防水層と、この防水層を介して前記マット気合の底面部に積層して設けられる樹脂材による防水底板材と、から構成される水の蒸発潜熱を利用するペット用冷却マットが記載されている。
【先行技術文献】
【特許文献】
【０００６】
【特許文献１】特開２００７−１３５４８２号公報
【特許文献２】実登３０９５６５７号公報
【特許文献３】特開２０１２−２２３１３２号公報
【発明の概要】
【発明が解決しようとする課題】
【０００７】
室内でペットと快適に生活するためには、ペットが安全であることに加えて、飼い主を含めた居住者全員が衛生的に暮らせることも重要である。
【０００８】
本発明は、長期間にわたって清掃のしやすさが持続する、１枚の大型のセラミック板からなるペット用床材を提供する。
【課題を解決するための手段】
【０００９】
上記課題を達成するために、本発明にかかるペット用床材は、ＪＩＳ Ａ １４１２−２（１９９９）で規定される熱伝導率が０．５Ｗ／（ｍ・ｋ）以上であって、携帯型すべり試験機、ＯＮＯ ＰＰＳＭで測定したＣＳＲ・Ｄ’値が０．３以上である、１枚の大型セラミック板を含んでなる。
【００１０】
犬や猫などのペットの体温は、例えば小型犬で３９℃前後、大型犬で３８℃前後であり、人間と比べて高いことが知られている。また、人間のように体表に汗腺がほとんどないため、発汗による体温調整が困難である。そのため、人間よりも体温調整がしにくく、暑い場所が苦手であると考えられている。本発明のペット用床材においては、熱伝導率が０．１Ｗ／（ｍ・ｋ）以上と高い。そのため、犬などのペットにとって、体温が床に奪われやすく、夏場などの暑い時期にも、快適に過ごすことができる。
【００１１】
また、本発明のペット用床材においては、携帯型すべり試験機、ＯＮＯ ＰＰＳＭで測定したペットに対する滑り評価であるＣＳＲ・Ｄ’値が０．３以上である。そのため、ペットが滑りにくく安全であるとともに、ペットの足への負担が軽減される。
【００１２】
本発明のペット用床材はさらに、１枚の大型セラミック板を含んでなり、好適には１枚の大型セラミック板からなる。例えば、複数のタイルを並べて床材が構成される場合、これらを連結するために、連結部が必須となる。この連結部に、ペットの毛や排泄物などが溜まる恐れがある。連結部に付着した汚れは取りにくく、清掃に労を要する。また、汚れが落ちにくく、長期的には異臭の原因となる。
本発明においては、連結部のない１枚の大型セラミックス板でペット用床材を構成している。そのため、清掃が簡単であり、長期にわたり清潔に保つことができ、異臭の発生などを抑制できる。
【００１３】
また、本発明のペット用床材は、セラミック板からなる。床材が木製などの場合、ペットの爪による傷がつきやすく耐久性に劣る。本発明のペット用床材においては、耐久性が高い。一般的に、ペットの爪の硬さはモース硬度で２とされているが、大型セラミック板のモース硬度は４以上あるため、ペットの爪により傷ついたり、磨耗してしまうことは無い。また、大理石のように酸で表面が溶解して美観が低下したり汚れが落ちにくくなったりすることも無い。
【００１４】
本発明のペット用床材を、既存の床の上に配置する置敷のペット用床材としてもよい。この場合、室内の任意の場所にペットの居場所を設けることができ、好ましい。また、必要に応じて設置場所を移動させることもできる。
【００１５】
本発明にかかるペット用床材においては、大型セラミック板は、ＪＩＳ  Ａ  ５２０９（２００８）に規定される吸水率が、３％以下であることも好ましい。
ペット用床材を構成する大型セラミック板を、所謂磁器質レベルに低吸水率とすることで、ペットの食べこぼしや排泄物等のしみこみを抑制できる。長期にわたり汚れにくく、異臭の発生を抑制できる。
【００１６】
本発明にかかるペット用床材においては、大型セラミック板は、その表面に釉薬層が設けられることも好ましい。
釉薬層を設けることにより、セラミック板表面の吸水率を低下させることができ、汚れや異臭発生を効果的に防ぐことができる。また、施釉により、意匠の選択肢が広がり、飼い主らの好みに合わせた付加価値の高いペット用床材を提供することができる。
【００１７】
本発明にかかるペット用床材においては、釉薬層はつや消し剤を含むことも好ましい。
釉薬層をつや消しとすることで、表面に凹凸が生じ、滑りにくくすることができ、より好ましい。
【００１８】
本発明にかかるペット用床材においては、大型セラミック板の厚さが、３ｍｍ以上１０ｍｍ以下であることも好ましい。
大型セラミック板の厚さが３ｍｍより薄い場合、例えば、ペット用床材の熱容量を十分に大きくすることができない。そのため、ペットが使用したときに、ペット用床材がすぐに温まっていまい、冷涼感が持続しない恐れがある。大型セラミック板の厚さを適度に厚くすることで、十分な熱容量を確保することができる。
大型セラミック板の厚さが１０ｍｍより厚い場合、例えば、既存の床の上に、本発明のペット用床材を配置する際に、段差が大きくなりすぎる恐れがある。また、ペット用床材の重量が大きくなりすぎて、設置や移動が困難となる。
【００１９】
本発明にかかるペット用床材においては、大型セラミック板の裏面に、裏打ち材を設けることも好ましい。
裏打ち材を設けることで、ペット用床材の強度が増加して好ましい。また、既存の床の上に、本発明のペット用床材を配置する際に、既存の床材が傷むのを防止できる。
【発明の効果】
【００２０】
本発明によれば、長期間にわたって清掃のしやすさが持続する、１枚の大型のセラミック板からなるペット用床材を提供することができる。
【発明を実施するための形態】
【００２１】
ペット用床材
本発明のペット用床材は、１枚の大型セラミック板からなる。例えば、既存の床の上に本発明のペット用床材を設けてもよい。この場合、ペット用床材の位置を任意に移動させることができ、好ましい。また、拭き掃除だけでなく、水洗いもでき清潔性を維持することができる。
本発明のペット用床材は、複数の床材を組み合わせた場合に必要な連結部を有さない。例えば、複数のタイルにより床材を構成する場合、これらのタイルを枠にはめ目地を施したり、樹脂製の連結部で連結してユニットを構成したりする必要がある。この場合、タイルの厚みにさらに枠または連結部の厚みが加わることとなる。したがって、例えば既存の床材の上に配置した場合、段差が大きくなってしまう場合がある。また、目地や連結部には汚れが溜まりやすく、一旦付着した汚れを除去することが困難である。目地や連結部に臭気成分が付着して異臭の原因となる恐れがある。これに対して、本発明のペット用床材は、１枚の大型セラミック板からなるため、清掃がしやすく、長期にわたって汚れの付着や異臭の発生を抑制できる。
【００２２】
また、本発明のペット用床材の材質はセラミックである。そのため、酸やアルカリに対する耐久性が高い。例えば、ペットの排泄物や嘔吐物などによって表面が変色したり変質したりすることが抑制される。本発明のペット用床材には、ペットの爪などによる傷もつきにくい。このように、本発明のペット用床材は、高い耐久性を有している。
【００２３】
大型セラミック板
本発明のペット用床材を構成する大型セラミック板には、長方形、楕円形、円形など、任意の形状を採用できる。例えば、設置スペース、意匠性、等飼い主の好みに応じて選択することができる。大型セラミック板は面取りされていることが好ましい。
大型セラミック板の大きさは、ペットの大きさに応じて適宜選択される。大型セラミック板の形状が、例えば長方形または楕円形の場合、ペットが小型の場合には、短幅は例えば２００ｍｍ以上、長幅は例えば４００ｍｍ以上であることが好ましい。ペットが中型の場合、短幅は例えば３００ｍｍ以上、長幅は例えば５００ｍｍ以上である。ペットが大型の場合、短幅は例えば５００ｍｍ以上、長幅は例えば７００ｍｍ以上である。
このようにペットの大きさに合わせたサイズとすることで、１枚の大型セラミック板でペット用床材を構成することができる。目地などの連結部をなくすことができ、清掃しやすく、清潔に保つことができる。
【００２４】
大型のセラミック板において、厚みは、例えば３ｍｍより大きく１０ｍｍ以下である。
セラミック板の厚さが厚すぎる場合には、重量が大きくなり、搬送、設置または移動などの作業性が低下する。セラミック板の厚さが薄すぎると、熱容量が小さくなり、例えば持続的にペットに冷涼感を与えることができない。所定の厚さ以上とすることで冷涼感を持続させることができる。
【００２５】
本発明に係るペット用床材において、ＪＩＳ Ａ １４１２−２（１９９９）：熱流計法（ＨＦＭ法）で規定される熱伝導率は、０．５Ｗ／（ｍ・ｋ）以上である。より好ましくは、１Ｗ／（ｍ・ｋ）以上である。さらに、本発明に係るペット用床材において、ＪＩＳ Ａ １４１２−２（１９９９）：熱流計法（ＨＦＭ法）で規定される熱伝導率のは、２Ｗ／（ｍ・ｋ）以下であることが好ましく、１．５Ｗ／（ｍ・ｋ）以下であることが、より好ましい。熱伝導率を大きくすることで、ペットに持続的に冷涼感を与えることができる。
【００２６】
本発明に係るペット用床材においては、携帯型すべり試験機、ＯＮＯ ＰＰＳＭで測定したＣＳＲ・Ｄ’値が０．３以上である。ＣＳＲ・Ｄ’値は、ペットに対する滑りやすさの評価指標である。ＣＳＲ・Ｄ’値を０．３以上と高くすることで、ペットが滑りにくくなり安全性を確保することができる。
ＣＳＲ・Ｄ’値を高めるために、例えば、ペット用床材の表面に凹凸を設けてもよい。
【００２７】
本発明に係るペット用床材を構成する大型セラミック板として、ＪＩＳ  Ａ  ５２０９（２００８）に規定される吸水率が５０％以下の第III類(所謂陶器質)、１０％以下の第II類(所謂せっ器質)、３％以下の第Ｉ類(所謂磁器質)のいずれも用いることができるが、防汚性や防臭性の観点から、吸水率は低いほうが好ましい。本発明で用いられる大型セラミック板は、ＪＩＳ  Ａ  ５２０９（２００８）に規定される吸水率が３．０％以下のものがより好ましい。吸水率を低くすることで、ペットの食べこぼしや排泄物などが床材にしみこむことを抑制できる。長期にわたって衛生的に使用することができる。
【００２８】
大型セラミック板の表面に、釉薬層を設けてもよい。釉薬層を設けることで、セラミック板表面の吸水率をより低下させることができる。汚れや異臭発生を効果的に防ぐことができ好ましい。また、施釉することにより、意匠の選択肢が広がり、付加価値の高いペット用床材を提供することができる。
【００２９】
釉薬には、通常の施釉タイルに用いられる釉薬を用いることができる。釉薬層がつや消し剤を含んでいることが好ましい。つや消し材を含む場合には、例えば、ペット用床材の表面が粗くなり、滑りにくくすることができる。つや消し材を含む釉薬としては、マット釉などを好適に用いることができる。
【００３０】
大型セラミック板の裏面に、裏打ち材を設けてもよい。裏打ち材を設けることで、大型セラミック板の裏面の防汚性を高めることができる。また、既存の床材の上に本発明のペット用床材を適用した場合に、既存の床に傷をつけることが抑制される。大型セラミック板の強度を補うことができる。裏打材には、例えばガラスクロスのような、繊維の織布または不織布またはネットを用いることができる。また、例えば、金属板、合成樹脂の板またはシートも用いることができる。本発明にあっては、これらの裏打材は大型セラミック板に接着剤を用いて張り付けられる。特に大型セラミック板が第II類または第III類の場合は、裏打ち材を設けることによって裏面からの吸水を抑制することが好ましい。そのために、裏打材は裏面全面を被覆することが好ましい。ガラス繊維製の裏打ち材の場合は、接着剤によって大型セラミック板を被覆することが好ましい。また、大型セラミック板や裏打ち材の種類を問わず、複数の裏打ち材を、同種または異種のものを用いて、積層しても良い。
【００３１】
本発明のペット用床材においては、大型セラミック板の裏面および／または端面（コバ面）に吸水率を低くするための処理を施すことが好ましい。それにより、端面からのペットの排泄物、嘔吐物などの吸収を抑制することができる。また、端面が汚れるのを防止できる。
この処理として、例えば、樹脂による被覆などの処理を用いることができる。具体的には、樹脂製のライニングを設けたり、防水塗料で塗装したり、樹脂製のシートを貼り付けたりしてもよい。
【００３２】
本発明にかかるペット用床材においては、その表面に抗菌・抗ウィルス加工を施しておくこともできる。抗菌・抗ウィルス加工は、表面に光触媒含有層を形成する光触媒加工や、銅化合物、銀化合物、および市販の銀系抗菌剤からなる群から選択される少なくとも１種を、素地、釉薬、または光触媒層に添加する加工、などを採用することができる。抗菌・抗ウィルス加工により、微生物由来の汚れの発生や、ペット特有の臭いの発生を抑制することができるので、好ましい。
【実施例】
【００３３】
本発明を以下の実施例により更に詳細に説明するが、本発明はこれらの実施例に限定されるものではない。
【００３４】
実施例１
粘土、長石、陶石などの原料調合物に水を添加して水分量が１０質量％以上２５質量％以下に調整された可塑性の坏土を得た。得られた坏土を押出成形機を用いて円筒状に成形し、それを押出方向に沿って切開し、ローラーで圧延して、幅(押出方向)７００ｍｍ、長さ１０５０ｍｍ、厚さ４ｍｍの成形体を得た。この成形体を１５０℃で３０分加熱乾燥させ、乾燥体を得た。この乾燥体を、ローラーハースキルンを使用して、常温から２０分で最高温度１０７０℃まで昇温し、最高温度を７分保持した後、１３分で冷却し出炉して、焼成体を得た。
釉薬として、黒マット釉薬（得られる釉薬層表面のＪＩＳ  Ｚ  ８７４１（１９９７）で規定された６０°鏡面光沢度が５〜１０である）を用いた。この釉薬を、乾燥厚み０．３〜０．４ｍｍになるように焼成体に塗布した。施釉した焼成体を、再度ローラーハースキルンを使用して、常温から２０分で最高温度１０５０℃まで昇温し、最高温度を７分保持した後、１３分で冷却し出炉して、大型セラミック板を得た。
得られた大型セラミック板の裏面の全面に、裏打材としてガラス繊維からなる織布を合成樹脂製の接着剤を用いてはり合わせて、実施例にかかるペット用床材とした。
【００３５】
実施例２
粘土、長石、陶石などの原料調合物に水を添加して水分量が６質量％から８質量％に調整されたスプレー顆粒の坏土を得た。得られた坏土を、加圧成形機を用いて成形し、幅７００ｍｍ、長さ１０５０ｍｍ、厚さ１０ｍｍの成形体を得た。この成形体を加熱乾燥させ、ローラーハースキルンを使用して、常温から３０分で最高温度１２５０℃まで昇温し、最高温度を１０分保持した後、２５分で冷却し出炉して、焼成体を得た。その上から光触媒加工液をスプレー塗布し、８００度で再焼成して表面に光触媒加工した大型セラミック板を得た。この大型セラミック板を実施例２にかかるペット用床材とした。
【００３６】
比較例
比較例にかかるペット用床材として、市販のフローリング材（合板製で表面及び裏面はメラミン樹脂化粧仕上げ：ＴＯＴＯ（株）「ハイドロセラ  フロアＪ」用サイドパネル）を用いた。
【００３７】
評価
熱伝導率
実施例及び比較例のペット用床材から、１００ｍｍ×１００ｍｍの試験片を切り出して試料とした。これら試料について、ＪＩＳ Ａ １４１２−２（１９９９）：熱流計法（ＨＦＭ法）の規定に基づき熱伝導率を測定した。
吸水率
実施例及び比較例のペット用床材から、１００ｍｍ×１００ｍｍの試験片を切り出して試料とした。これら試料について、ＪＩＳ  Ａ  ５２０９（２００８）の規定に基づき吸水率を測定した。ただし、比較例にかかるペット用床材の試験片は、切断面を含む４つの端面にシリコーンシーリング剤を塗付して防水シールした試料を用いて吸水率を測定した。
防滑試験
実施例及び比較例のペット用床材について、防滑試験を実施した。具体的には、携帯型すべり試験機、ＯＮＯ ＰＰＳＭを用い、ＣＳＲ・Ｄ’値を測定した。滑り片には、発泡ゴムシートに麻織物をかぶせたものを用いた。
評価結果を表１に示す。
【００３８】
【表１】
2016187307.tif 000002